(57)【要約】  【課題】  異なる種類の電池を使用できるようにし、緊急時に特定の種類の電池が入手できない場合でも使用が制限されないようにした電子機器を提供する。  【解決手段】  リヤキャビネット１２の電池収納部２０に一対の単３の乾電池用の保持部２１と一対の単４の乾電池用の保持部２２とをそれぞれ設け、これらの保持部２１、２２に単３の乾電池２３と単４の乾電池２４とを収納しておき、使用する乾電池２３、２４をフロントキャビネット１１の同調表示部３０の下側に設けられた切換えスイッチ３１によって切換え操作する。【選択図】  図１
2005116237.tif 000002
【特許請求の範囲】
【請求項１】
規格が異なる複数種類の電池を同時に収納しておく電池収納部と、
前記電池収納部に収納保持される複数種類の電池と、
前記複数種類の電池の内の１種類の電池を選択する手動操作式の切換えスイッチと、
を具備する電子機器。
【請求項２】
規格が異なる複数種類の電池を同時に収納しておく電池収納部と、
前記電池収納部に収納保持される複数種類の電池と、
前記複数種類の電池の残容量をそれぞれ検出する残容量検出手段と、
前記残容量検出手段の検出に連動して前記複数種類の電池の内の１種類の電池を選択する自動式の切換えスイッチと、
を具備する電子機器。
【請求項３】
規格が異なる複数種類の電池が何れも乾電池であることを特徴とする請求項１または請求項２に記載の電子機器。
【請求項４】
規格が異なる複数種類の電池が単３と単４の乾電池であることを特徴とする請求項１または請求項２に記載の電子機器。
【請求項５】
スピーカを具備し、該スピーカの背面側に前記電池収納部が設けられ、前記スピーカの駆動部の背面側が寸法が小さい規格の電池を収納する電池収納部になされるとともに、前記スピーカの駆動部の両側が寸法が大きい規格の電池を収納する電池収納部になされることを特徴とする請求項１または請求項２に記載の電子機器。
【請求項６】
ラジオ受信機であることを特徴とする請求項１または請求項２に記載の電子機器。
【請求項７】
規格が異なる複数種類の電池を選択的に収納しておく電池収納部を具備し、該電池収納部はある規格の電池を収納すると他の規格の電池が収納できなくなることを特徴とする電子機器。
【請求項８】
複数種類の電池収納部が空間上において互いに交差するように形成されることを特徴とする請求項７に記載の電子機器。
【請求項９】
規格が異なる２種類の電池を収納しておく電池収納部を具備し、第１の種類の電池収納部が縦方向に形成され、第２の種類の電池収納部が前記第１の種類の電池収納部と交差するように横方向に形成されることを特徴とする請求項８に記載の電子機器。
【請求項１０】
複数の電池を同時に収納しておく電池収納部と、
前記電池収納部に収納される複数の電池と、
前記複数の電池の残容量をそれぞれ検出する残容量検出手段と、
前記残容量検出手段の検出によるそれぞれの電池の残容量を表示する表示手段と、
前記残容量検出手段の検出に連動して前記複数の電池の内の１つの電池を選択する自動式の切換えスイッチと、
を具備する電子機器。
【請求項１１】
ラジオ受信機であって、前記表示手段が同調表示部と兼用されることを特徴とする請求項１０に記載の電子機器。
【発明の詳細な説明】
【技術分野】
【０００１】
本発明は電子機器に係り、とくに電池収納部に収納される電池によって駆動される電子機器に関する。
【背景技術】
【０００２】
ポータブル式のラジオ受信機は、原則として商用電源によって駆動することができず、このためにキャビネットの電池収納部に乾電池等を収納しておき、この乾電池によって駆動するようにしている。そして通常のラジオ受信機は、その使用電池が１種類に限定されており、例えば単３の乾電池あるいは単４の乾電池を電池収納部に収納して駆動を行なうようにしている。
【０００３】
従ってこのような通常のポータブル式のラジオ受信機においては、通常使用電池の種類が１種類に限定されており、緊急時であって例えば指定された種類の電池が入手できない場合には、そのラジオ受信機の使用できなくなる。また１種類の電池だけでは当然その電池の容量がなくなり次第使用できなくなり、乾電池駆動機器における機能で重要視される駆動時間も、使用する乾電池の１種の電池容量以上の大幅な改善は、とくに安価な機器であって回路上の工夫では期待できない場合が多い。
【０００４】
なお特開２００２−９５１８２号公報には、電源として、耐寒性を有するリチウム電池電源と、通常環境で使用するマンガン電池電源との２種類の電池を準備しておき、温度制御回路にて測定した周囲温度に応じて、電源切替制御回路によって自動的に適当な電池電源を選択し、これにより、冬季中でも、暖かい場合には、マンガン電池を使用することができ、運用面でのコスト削減が可能になり、使用環境に応じて自動的に異種の電源電池の１つを選択して運用することを可能にし、コスト高をなくすようにした複合型電源装置の給電方式が開示されている。
【０００５】
また特開平９−３６９３３号公報には、電池ケースを複数個の電池パックで構成し、電池切れ時に切替手段で給電する電池パックを切替え、複数の電池パックを取外し可能にすることによって、ユーザは１種類の電池パックを購入するだけで、ニーズにあわせて軽量化、または通話、待ち受け時間の長時間化、または予備バッテリとして使用できるようにし、突然の電池切れに対しても電池ケースのスイッチを切替えるだけで、携帯電話として通話、待ち受けに使用できるようにした電池パックが開示されている。
【０００６】
【特許文献１】特開２００２−９５１８２号公報
【特許文献２】特開平９−３６９３３号公報
【特許文献３】特開２００１−１６８９１号公報
【特許文献４】特開平６−２３７５３６号公報
【特許文献５】特開平８−６２６６３号公報
【発明の開示】
【発明が解決しようとする課題】
【０００７】
本願発明の課題は、複数種類の電池を収納しておき、手動操作によって、あるいは自動的に複数種類の電池の内の１種類の電池を切換えて使用できるようにした電子機器を提供することである。
【０００８】
本願発明の別の課題は、緊急時であって指定された電池の入手が困難な場合に、他の種類の電池によって駆動することが可能な電子機器を提供することである。
【０００９】
本願発明の別の課題は、使用する電池の種類の制限を緩和し、これによって利便性の向上を図るようにした電子機器を提供することである。
【００１０】
本願発明のさらに別の課題は、連続駆動時間を延長して利便性の向上を図るようにした電子機器を提供することである。
【００１１】
本願発明の上記の課題および他の課題は、以下に述べる本願発明の技術思想および発明の実施の形態によって明らかにされる。
【課題を解決するための手段】
【００１２】
本願の主要な発明は、規格が異なる複数種類の電池を同時に収納しておく電池収納部と、
前記電池収納部に収納保持される複数種類の電池と、
前記複数種類の電池の内の１種類の電池を選択する手動操作式の切換えスイッチと、
を具備する電子機器に関するものである。
【００１３】
本願の別の主要な発明は、規格が異なる複数種類の電池を同時に収納しておく電池収納部と、
前記電池収納部に収納保持される複数種類の電池と、
前記複数種類の電池の残容量をそれぞれ検出する残容量検出手段と、
前記残容量検出手段の検出に連動して前記複数種類の電池の内の１種類の電池を選択する自動式の切換えスイッチと、
を具備する電子機器に関するものである。
【００１４】
ここで規格が異なる複数種類の電池が何れも乾電池であることが好ましい。また規格が異なる複数種類の電池が単３と単４の乾電池であることが好ましい。またスピーカを具備し、該スピーカの背面側に前記電池収納部が設けられ、前記スピーカの駆動部の背面側が寸法が小さい規格の電池を収納する電池収納部になされるとともに、前記スピーカの駆動部の両側が寸法が大きい規格の電池を収納する電池収納部になされることが好ましい。またラジオ受信機であることが好ましい。
【００１５】
本願の別の主要な発明は、規格が異なる複数種類の電池を選択的に収納しておく電池収納部を具備し、該電池収納部はある規格の電池を収納すると他の規格の電池が収納できなくなることを特徴とする電子機器に関するものである。
【００１６】
ここで複数種類の電池収納部が空間上において互いに交差するように形成されることが好ましい。また規格が異なる２種類の電池を収納しておく電池収納部を具備し、第１の種類の電池収納部が縦方向に形成され、第２の種類の電池収納部が前記第１の種類の電池収納部と交差するように横方向に形成されることが好ましい。
【００１７】
本願の別の主要な発明は、複数の電池を同時に収納しておく電池収納部と、
前記電池収納部に収納される複数の電池と、
前記複数の電池の残容量をそれぞれ検出する残容量検出手段と、
前記残容量検出手段の検出によるそれぞれの電池の残容量を表示する表示手段と、
前記残容量検出手段の検出に連動して前記複数の電池の内の１つの電池を選択する自動式の切換えスイッチと、
を具備する電子機器に関するものである。ここでこの電子機器がラジオ受信機であって、前記表示手段が同調表示部と兼用されることが好ましい。
【００１８】
本願発明の好ましい態様は、異なる２種類の電池を同時に収納し、外部スイッチによって、あるいは自動的に使用する電池を選択するものであって、ポータブル型の電子機器に限れば、使用される電池は単３と単４が一般的である。通常機種によって何れか一方を予め選択指定され、種類が限定されるが、本態様においては両方の使用を可能にすることによって利便性を高めるようにしたものである。
【００１９】
ここで２種類の電池を同時に挿入し、スイッチによって何れかの電池を選択し、使用中に一方の電池の容量がなくなった場合に、スイッチを切換えることで他方の電池を引続き使用することができ、使用継続時間を長くできる。従って使用電池の種類への制限が緩くなり、利便性の向上が期待される。また電池によって駆動される連続駆動時間が大幅に長くなり、利便性の向上が期待される。
【発明の効果】
【００２０】
本願の主要な発明は、規格が異なる複数種類の電池を同時に収納しておく電池収納部と、電池収納部に収納保持される複数種類の電池と、複数種類の電池の内の１種類の電池を選択する手動操作式の切換えスイッチと、を具備するものである。
【００２１】
従ってこのような電子機器によれば、複数種類の電池の内の１種類の電池が放電した場合に、手動操作式の切換えスイッチを切換えることによって他の種類の電池でこの電子機器を駆動できるようになる。また緊急時であって指定された種類の電池が入手できない場合においても、他の種類の電池によってこの電子機器を駆動できるようになり、緊急時対策に優れた電子機器が提供される。
【００２２】
本願の別の主要な発明は、規格が異なる複数種類の電池を同時に収納しておく電池収納部と、電池収納部に収納保持される複数種類の電池と、複数種類の電池の残容量をそれぞれ検出する残容量検出手段と、残容量検出手段の検出に連動して複数種類の電池の内の１種類の電池を選択する自動式の切換えスイッチと、を具備するようにしたものである。
【００２３】
従ってこのような電子機器によれば、複数種類の電池の残容量を残容量検出手段によってそれぞれ検出するとともに、上記残容量検出手段の検出に連動して複数種類の電池の内の１種類の電池を選択することによって、安定的に電子機器を駆動することができるばかりでなく、電池による使用継続時間を大幅に延長できるようになる。また電池の切換えを自動的に行なうことができるために、人間が手動操作によって電池の切換えを行なう面倒がない。
【発明を実施するための最良の形態】
【００２４】
以下本願に含まれる発明を図示の実施の形態によって説明する。まず第１の実施の形態を図１〜図５によって説明する。
【００２５】
本実施の形態はポータブル式のラジオ受信機に関するものであって、ラジオ受信機は図１に示すようにその筐体がフロントキャビネット１１とリヤキャビネット１２とから構成されている。そしてフロントキャビネット１１とリヤキャビネット１２とによって構成される筐体内にはプリント基板１３が収納され、このプリント基板１３上に実装された電子部品１４によって電源回路とチューナ回路とが形成される。またプリント基板１３の側部にはスピーカ１５が配されている。スピーカ１５はその背面側のほぼ中央部に突出した駆動部１６を備え、この駆動部１６内のボイスコイルによって振動板を駆動するようになっている。またフロントキャビネット１１の上記スピーカ１５と対向する位置には図２および図４に示すように無数の放音孔１７が形成されている。
【００２６】
筐体のリヤキャビネット１２の背面側には電池収納部２０が形成される。この電池収納部２０は図１、図３、および図４に示すように、一対の寸法の大きな保持部２１と、一対の寸法の小さな保持部２２とが形成される。なおこれらの保持部２１、２２には図３および図４に示すように、単３の乾電池２３と単４の乾電池２４とがそれぞれ収納されるようになっている。そして乾電池２３、２４を収納した後に、電池蓋２６によって電池収納部２０を覆うようにしている。電池蓋２６の先端側にある係止爪２７によってこの電池蓋２６は、装着された状態で係止される。
【００２７】
フロントキャビネット１２には図２に示すように、同調表示部３０が形成され、この同調表示部３０によって同調周波数の表示が行なわれるようになっている。また同調表示部３０の下側には切換えスイッチ３１が配され、この切換えスイッチ３１によって乾電池２３、２４の切換えを行なうようにしており、使用する乾電池を選択できるようになっている。
【００２８】
図５はこのように複数の乾電池２３、２４による電源回路３３に対する給電のための回路を示しており、単３の乾電池２３と単４の乾電池２４とが互いに並列に接続されるとともに、両者を選択的に電源回路３３に接続するために切換えスイッチ３１が接続されている。この切換えスイッチ３１は上述の如く、フロントキャビネット１１の前面側に露出して設けられ、手動操作によって切換え動作が行なわれるスイッチである。
【００２９】
このように本実施の形態のラジオ受信機は、その電池収納部２０の保持部２１に単３の乾電池２３を収納し、保持部２２に単４の乾電池２４を収納するようになっている。従って電池収納部２０には合計４本の電池が図３および図４に示すように収納される。そして図２および図５に示す切換えスイッチ３１を手動で切換えることによって、単３の乾電池２３と単４の乾電池２４の内の何れか一方によって電源回路３３に給電を行なうことによって、このラジオ受信機を駆動することが可能になる。
【００３０】
一般にポータブル型のラジオ受信機は、使用される乾電池は単３か単４の乾電池である。そして通常のラジオ受信機は、何れか一方の指定された乾電池を使用するようになっているのに対し、本実施の形態においては単３の乾電池２３と単４の乾電池２４の両方の使用を可能にすることによって、利便性を高めている。また図３および図４に示すように２種類の乾電池２３、２４をそれぞれ保持部２１、２２に収納しておき、切換えスイッチ３１によって何れかの電池を選択して使用することができるとともに、使用している電池が放電した場合には、上記切換えスイッチ３１を反対側に切換えることによって他方の電池を引続き使用することができ、使用継続時間を長くできる。
【００３１】
また従来の通常のラジオ受信機が１種類の乾電池に限定して装着できるようになっているために、緊急時にその乾電池を入手できない場合には、ラジオ受信機が使用できなくなる。これに対して本実施の形態においては、単３の乾電池２３と単４の乾電池２４の内の何れか一方が入手できる場合には、その乾電池によってこのラジオ受信機を駆動することができ、とくに緊急時におけるラジオ受信機として用いるのに有用である。
【００３２】
ここでとくに単４の乾電池２４を保持する保持部２２が図４に示すように、スピーカ２５の背面側の駆動部１６の背面部に設けられており、これに対してスピーカ１５の駆動部１６の両側にそれぞれ単３の乾電池２３を保持する保持部２１が設けられている。このような構成によれば、このラジオ受信機のキャビネットの内側であってスピーカ１５の背面側の空間を有効に利用し、とくにスピーカ１５の駆動部１６の背面側のデッドスペースを有効に利用することによって、２種類の電池２３、２４の収納を合理的に行なうことが可能になる。従って２種類の乾電池２３、２４のための保持部２１、２２を形成しても、全体としてのキャビネットの寸法がそれほど大きくならない。
【００３３】
次に別の実施の形態を図６によって説明する。この実施の形態は上記第１の実施の形態の保持部２１、２２に保持されている単３の乾電池２３と単４の乾電池２４の残容量を電圧検出回路３５によって検出するとともに、この電圧検出回路３５の検出動作に連動して切換え回路３６を駆動し、切換えスイッチ３７を自動的に切換えるようにしたものである。すなわちこの実施の形態においては、切換えスイッチ３１に代えて電子切換えスイッチ３７が切換えスイッチとして用いられる。
【００３４】
このような構成によれば、保持部２１、２２にそれぞれ収納保持されている単３の乾電池２３と単４の乾電池２４の残容量が電圧検出回路３５によって常時検出されるとともに、この検出動作に連動して切換え回路３６によって電子切換えスイッチ３７を自動的に切換えることにより、電源回路３３に対する乾電池２３、２４からの給電の選択を自動的に行なうことが可能になる。従ってスイッチによる電池の切換え操作が不要になる利点があるとともに、適正な残容量の電池によって電源回路３３に対する給電が安定に行なわれる。
【００３５】
次にさらに別の実施の形態を図７〜図１１によって説明する。この実施の形態は電池収納部２０に単３の乾電池２３を保持するための一対の保持部２１と単４の乾電池２４を保持する一対の保持部２２とを互いに交差するように設けたものであって、単３の乾電池２３を保持する保持部２１を縦方向に延びるように形成し、これに対して単４の乾電池２４を保持する保持部２２を横方向に延びるように形成したものである。
【００３６】
ここで注意すべきは、単３の乾電池２３用の保持部２１と単４の乾電池２４用の保持部２２とが空間において互いに交差するように形成されており、これによって一方の乾電池を収納保持すると、他方の乾電池が収納できなくなる関係にあることに特徴がある。図８および図１０は単３の乾電池２３を保持部２１に保持した状態を示している。これに対して図９および図１１は単４の乾電池２４を保持部２２に保持した状態を示している。
【００３７】
このような実施の形態によれば、単３の乾電池２３と単４の乾電池２４の内の一方を電池収納部２０の保持部２１または２２に装着することによって、このラジオ受信機を駆動できるようになる。従って緊急時に単４の乾電池２４が入手できない場合には、図８および図１０に示すように単３の乾電池２３によってこのラジオ受信機を駆動できる。逆に単３の乾電池２３を入手できない場合には、図９および図１１に示すように単４の乾電池２４によってこのラジオ受信機を駆動すればよい。従って緊急時に何れか１種類の乾電池が入手できなくてもこのラジオ受信機の使用が制限されることがない。
【００３８】
次にさらに別の実施の形態を図１２および図１３によって説明する。この実施の形態は、図１２に示すようにスピーカ１５の背面側であってその両側に一対の単４の乾電池２４を収納しており、これら一対の乾電池２４の内の一方のみによってこのラジオ受信機を駆動するようにしたものである。そして一対の乾電池２４の残容量を表示するために、フロントキャビネット１１の同調表示部３０の左右の部分にそれぞれ電池の残容量表示４０を行なうようにしている。
【００３９】
図１３はこのようなラジオ受信機のとくに電子スイッチ３７の切換えと電池容量の残容量表示のための回路構成を示しており、一対の乾電池２４の残容量は電圧検出回路３５によって検出されるとともに、この検出回路３５の検出に連動して切換え回路３６によって電子切換えスイッチ３７の切換えを自動的に行なうようにしている。しかも上記電圧検出回路３５による一対の乾電池２４の残容量を同調表示部３０によって表示するようにしている。
【００４０】
このようなラジオ受信機は、その電源回路３３を１本の単４の乾電池２４の出力である１．５Ｖの電圧で駆動するようにしており、２本の単４の乾電池２４のそれぞれについて表示部３０によって残量表示４０を行なうようにしている。従って一方の電池２４を使用しているときに他方の電池２４をバックアップ用として用いることが可能になる。
【００４１】
このような構成によれば、乾電池２４の交換の際に電源切れを生ずることがなくなる。従ってラジオ受信機を駆動して放送を聴きながら電池交換を行なうことも可能になる。また一対の乾電池２４によって選択的に駆動するとともに、これらの乾電池２４を最後まで使い切ることが可能になり、電池２４の無駄がなくなる。
【００４２】
以上本願発明を図示の実施の形態によって説明したが、本願発明は上記実施の形態によって限定されることなく、本願発明の技術的思想の範囲内において各種の変更が可能である。例えば上記実施の形態はポータブル式のラジオ受信機に関するものであるが、本願発明はその他各種のポータブル型の電子機器であって、内蔵する電池によって駆動される電子機器に広く利用可能である。
【産業上の利用可能性】
【００４３】
本願発明は乾電池等の電池によって駆動するポータブル型の電子機器に広く適用可能である。
【図面の簡単な説明】
【００４４】
【図１】ラジオ受信機の分解斜視図である。
【００４５】
【図２】同ラジオ受信機の正面図である。
【００４６】
【図３】同ラジオ受信機の背面図である。
【００４７】
【図４】図３におけるＡ〜Ａ線断面図である。
【００４８】
【図５】このラジオ受信機の電源回路のブロック図である。
【００４９】
【図６】別の実施の形態の電源回路のブロック図である。
【００５０】
【図７】さらに別の実施の形態の電池収納部を示す外観斜視図である。
【００５１】
【図８】単３の乾電池を収納したときの電池収納部の平面図である。
【００５２】
【図９】単４の乾電池を収納したときの電池収納部の平面図である。
【００５３】
【図１０】図８におけるＢ〜Ｂ線断面図である。
【００５４】
【図１１】図９におけるＣ〜Ｃ線断面図である。
【００５５】
【図１２】さらに別の実施の形態のラジオ受信機の正面図である。
【００５６】
【図１３】同ラジオ受信機の電源回路のブロック図である。
【符号の説明】
【００５７】
１１‥‥フロントキャビネット、１２‥‥リヤキャビネット、１３‥‥プリント基板、１４‥‥電子部品、１５‥‥スピーカ、１６‥‥駆動部、１７‥‥放音孔、２０‥‥電池収納部、２１‥‥保持部（単３乾電池用）、２２‥‥保持部（単４乾電池用）、２３‥‥単３の乾電池、２４‥‥単４の乾電池、２６‥‥電池蓋、２７‥‥係止爪、３０‥‥同調表示部、３１‥‥切換えスイッチ、３３‥‥電源回路、３５‥‥電圧検出回路、３６‥‥切換え回路、３７‥‥電子切換えスイッチ、４０‥‥電池容量の残量表示
【図１】
2005116237.tif 000003
【図２】
2005116237.tif 000004
【図３】
2005116237.tif 000005
【図４】
2005116237.tif 000006
【図５】
2005116237.tif 000007
【図６】
2005116237.tif 000008
【図７】
2005116237.tif 000009
【図８】
2005116237.tif 000010
【図９】
2005116237.tif 000011
【図１０】
2005116237.tif 000012
【図１１】
2005116237.tif 000013
【図１２】
2005116237.tif 000014
【図１３】
2005116237.tif 000015